(57)【要約】【課題】  受信端のＡＧＣ機能をより簡単に具現し、ネットワーク同時に信号の特性低下を補償するＩ／Ｑオフセット補正機能を含むＡＧＣを利用した受信端の受信率改善装置及び方法を提供することにある。【解決手段】  ＡＧＣを利用した受信端の受信率改善方法は、ネットワークから無線受信される高周波信号から移動通信信号を検出し復調して、Ｉ位相信号とＱ位相信号に分離する段階と、該分離されたＩ位相信号及びＱ位相信号を増幅して雑音を除去する段階と、該増幅され雑音が除去されたＩ位相信号及びＱ位相信号の電力の大きさ及びオフセット値を検出する段階と、該検出された電力の大きさを目標電力の大きさと比較計算する段階と、該比較計算結果及び前記検出されたオフセット値によって修正される利得値をセットする段階と、前記セットされた利得値に前記Ｉ位相信号及びＱ位相信号を増幅する増幅率を調整し、オフセットを補正する段階と、から構成される。【選択図】  図３
2005160082.tif 000002
【特許請求の範囲】
【請求項１】
ネットワークからアンテナに受信される信号を該当チャンネルの信号として検出して出力する高周波部と、
該高周波部の出力信号を同位相(Ｉ)チャンネルと直交位相(Ｑ)チャンネルに分離してＩ位相信号及びＱ位相信号を出力する復調部と、
該復調部から出力されたＩ位相信号及びＱ位相信号を増幅して利得を増加させる増幅部と、
該増幅部の出力信号の電力の大きさ及びオフセット値を検出して目標電力の大きさと比較し、該当増幅率制御信号を前記増幅部に出力するオフセット調整部と、
から構成されることを特徴とする自動利得制御方式を利用した受信端の受信率改善装置。
【請求項２】
前記増幅部は、
前記オフセット調整部から受信された増幅率制御信号によって信号を増幅する増幅率を調整し、オフセットを補正することを特徴とする請求項１に記載の自動利得制御方式を利用した受信端の受信率改善装置。
【請求項３】
前記増幅部は、
前記復調部から出力されるＩ位相信号を該当増幅率制御信号によって自動利得制御方式を利用して増幅する第１のＩ増幅器と、
該第１のＩ増幅器から出力される信号に混合されている雑音を制御する第１のＩ濾波器と、
該第１のＩ濾波器から出力される信号を該当増幅率制御信号によって自動利得制御方式を利用して増幅する第２のＩ増幅器と、
該第２のＩ増幅器から出力される信号の雑音を除去する第２のＩ濾波器と、
該第２のＩ濾波器から出力される信号を該当増幅率制御信号によって自動利得制御方式を利用して増幅し、オフセットが補正されたＩ位相信号を出力するＩオフセット増幅器と、
前記Ｑ位相信号を該当増幅率制御信号によって自動利得制御方式を利用して増幅する第１のＱ増幅器と、
該第１のＱ増幅器から出力される信号に混合されている雑音を制御する第１のＱ濾波器と、
該第１のＱ濾波器から出力される信号を該当増幅率制御信号によって自動利得制御方式を利用して増幅する第２のＱ増幅器と、
該第２のＱ増幅器から出力される信号の雑音を除去する第２のＱ濾波器と、
該第２のＱ濾波器から出力される信号を該当増幅率制御信号によって自動利得制御方式を利用して増幅し、オフセットが補正されたＱ位相信号を出力するＱオフセット増幅器と、を含んで構成されることを特徴とする請求項１に記載の自動利得制御方式を利用した受信端の受信率改善装置。
【請求項４】
前記オフセット調整部は、
前記増幅部から出力されるＩ位相信号をデジタル信号に変換する第１のアナログ／デジタル変換器と、
前記増幅部から出力されるＱ位相信号をデジタル信号に変換する第２のアナログ／デジタル変換器と、
前記第１のアナログ／デジタル変換器及び第２のアナログ／デジタル変換器から印加される信号を処理して電力の大きさを検出する電力検出部と、
前記第１のアナログ／デジタル変換器及び第２のアナログ／デジタル変換器から印加される信号を処理し、Ｉ位相及びＱ位相の増幅オフセット値を計算して出力するオフセット計算機と、
前記電力検出部から印加される電力の大きさと外部から入力される目標電力の大きさとの差を計算して出力する比較演算部と、
該比較演算部から印加される値に該当する多数の増幅率制御信号を出力し、これと同時に、前記オフセット計算機から印加される値を演算して増幅オフセットを調整する増幅率制御信号をそれぞれ出力するテーブル部と、を含んで構成されることを特徴とする請求項１に記載の自動利得制御方式を利用した受信端の受信率改善装置。
【請求項５】
前記比較演算部は、
前記電力検出部から印加される電力の大きさと外部から入力される目標電力の大きさとの差を計算して正数または負数として出力することを特徴とする請求項４に記載の自動利得制御方式を利用した受信端の受信率改善装置。
【請求項６】
前記テーブル部は、
前記増幅部の第１のＩ増幅器及び第１のＱ増幅器に同一の増幅率制御信号を出力することを特徴とする請求項４に記載の自動利得制御方式を利用した受信端の受信率改善装置。
【請求項７】
前記テーブル部は、
前記第２のＩ増幅器及び第２のＱ増幅器に同一の増幅率制御信号を出力することを特徴とする請求項４に記載の自動利得制御方式を利用した受信端の受信率改善装置。
【請求項８】
前記テーブル部は、
前記Ｉオフセット増幅器及びＱオフセット増幅器を制御してオフセットを補正する増幅率制御信号をそれぞれ出力することを特徴とする請求項４に記載の自動利得制御方式を利用した受信端の受信率改善装置。
【請求項９】
前記テーブル部は、
前記Ｉオフセット増幅器を制御する増幅率制御値に前記オフセット計算機から印加されるオフセット値を加えて前記Ｑオフセット増幅器に出力することを特徴とする請求項８に記載の自動利得制御方式を利用した受信端の受信率改善装置。
【請求項１０】
ネットワークから信号を無線受信する受信端において、
ネットワークから無線受信される高周波信号から移動通信信号を検出し復調して、Ｉ位相信号とＱ位相信号に分離する段階と、
該分離されたＩ位相信号及びＱ位相信号を増幅して雑音を除去する段階と、
該増幅され雑音が除去されたＩ位相信号及びＱ位相信号の電力の大きさ及びオフセット値を検出する段階と、
該検出された電力の大きさを目標電力の大きさと比較計算する段階と、
該比較計算結果及び前記検出されたオフセット値によって修正される利得値をセットする段階と、
前記セットされた利得値に前記Ｉ位相信号及びＱ位相信号を増幅する増幅率を調整し、オフセットを補正する段階と、
から構成されることを特徴とする自動利得制御方式を利用した受信端の受信率改善方法。
【請求項１１】
前記目標電力の大きさは、
外部から入力されることを特徴とする請求項１０に記載の自動利得制御方式を利用した受信端の受信率改善方法。
【請求項１２】
前記比較計算段階は、
前記検出されたＩ位相信号及びＱ位相信号の電力の大きさと前記目標電力の大きさとの差を計算して出力することを特徴とする請求項１０に記載の自動利得制御方式を利用した受信端の受信率改善方法。
【請求項１３】
前記セット段階は、前記比較計算結果及び計算されたオフセット値に合う該当増幅率制御信号を探すことを特徴とする請求項１０に記載の自動利得制御方式を利用した受信端の受信率改善方法。
【発明の詳細な説明】
【技術分野】
【０００１】
本発明は、無線システムに関し、特に、ネットワークから端末に無線受信される信号の特性低下を補償するＩ／Ｑオフセット補正(Offset Correction)機能を含む 自動利得制御(Automatic Gain Control: ＡＧＣ)を備えた受信端の受信率改善装置及び方法に関する。
【背景技術】
【０００２】
一般的に、無線周波数帯域が事業者間にあまり近く設定されていて、最近は、相互間のチャンネルが混ぜられている実情である。このような理由により、事業者相互間の基地局近所では、受信率が急激に低下する地域が発生し、これを陰影地域(coverage hole)と呼ぶ。一般的に、この陰影地域における受信率の向上のために、端末機内部で発生する相互変調及び飽和現象を無くすか、または減らす自動利得制御方式(automatic gain control: ＡＧＣ)を使用する。前記ＡＧＣを使用した携帯端末機は、基本的に受信される電界強度を測定し、これを低雑音増幅器(low noise amplifier: ＬＮＡ)の利得に制御する形態である。
【０００３】
図４は、既存のＡＧＣを利用した受信端の構造を示す図である。図４を参照すると、高周波部１０及び復調部２０を含む受信ブロック(receiver block)において電力検出器(power detector)４０を使用して直接パワーレベルを検出することにより、増幅部３０のＡＧＣ増幅器(amplifier)を調整する。
【０００４】
図５は、他の既存のＡＧＣを利用した受信端の構造を示す図である。図５を参照すると、基底帯域(baseband)においてＡＧＣテーブル(table)５１を使用して同位相(In phase: Ｉ)経路(path)及び直交位相(Quadrature phase: Ｑ)経路に対して同一の増幅率でそれぞれのＡＧＣ増幅器の利得を調整する。
【０００５】
このようなＡＧＣを利用した既存の受信端では、復調過程を経て分離されたＩ位相信号とＱ位相信号が増幅される過程で増幅電力の差によってオフセット(offset)が発生するので、このオフセット値を補正するために、別途のオフセット調整装置が必要となる。既存のオフセット調整装置を別途に備える受信端は、構成が複雑であるため回路の構成も複雑になり、よって、信号を処理する時間が遅延されるなどの問題点があった。
【発明の開示】
【発明が解決しようとする課題】
【０００６】
本発明は、前述したような問題点を解決するために提案されたもので、本発明の目的は、受信端のＡＧＣ機能をより簡単に具現し、同時に信号の特性低下を補償するＩ／Ｑオフセット補正(Offset Correction)機能を含むＡＧＣを利用した受信端の受信率改善装置及び方法を提供することにある。
【課題を解決するための手段】
【０００７】
このような目的を達成するために本発明によるＡＧＣを利用した受信端の受信率改善装置は、ネットワークからアンテナに受信される信号を該当チャンネルの信号として検出して出力する高周波部と、該高周波部の出力信号を同位相(Ｉ)チャンネルと直交位相(Ｑ)チャンネルに分離してＩ位相信号及びＱ位相信号を出力する復調部と、該復調部から出力されたＩ位相信号及びＱ位相信号を増幅して利得を増加させる増幅部と、該増幅部の出力信号の電力の大きさ及びオフセット値を検出して目標電力の大きさと比較し、該当増幅率制御信号を前記増幅部に出力するオフセット調整部と、から構成されることを特徴とする。
【０００８】
このような目的を達成するために本発明によるＡＧＣを利用した受信端の受信率改善方法は、ネットワークから無線受信される高周波信号から移動通信信号を検出し復調して、Ｉ位相信号とＱ位相信号に分離する段階と、該分離されたＩ位相信号及びＱ位相信号を増幅して雑音を除去する段階と、該増幅され雑音が除去されたＩ位相信号及びＱ位相信号の電力の大きさ及びオフセット値を検出する段階と、該検出された電力の大きさを目標電力の大きさと比較計算する段階と、該比較計算結果及び前記検出されたオフセット値によって修正される利得値をセットする段階と、前記セットされた利得値に前記Ｉ位相信号及びＱ位相信号を増幅する増幅率を調整し、オフセットを補正する段階と、から構成されることを特徴とする。
【０００９】
前記増幅部は、前記オフセット調整部から受信された増幅率制御信号によって信号を増幅する増幅率を調整し、オフセットを補正することを特徴とする。
【００１０】
従って、本発明は、以下を提供する：
項目１．ネットワークからアンテナに受信される信号を該当チャンネルの信号として検出して出力する高周波部と、
該高周波部の出力信号を同位相(Ｉ)チャンネルと直交位相(Ｑ)チャンネルに分離してＩ位相信号及びＱ位相信号を出力する復調部と、
該復調部から出力されたＩ位相信号及びＱ位相信号を増幅して利得を増加させる増幅部と、
該増幅部の出力信号の電力の大きさ及びオフセット値を検出して目標電力の大きさと比較し、該当増幅率制御信号を前記増幅部に出力するオフセット調整部と、
から構成されることを特徴とする自動利得制御方式を利用した受信端の受信率改善装置。
【００１１】
項目２．前記増幅部は、
前記オフセット調整部から受信された増幅率制御信号によって信号を増幅する増幅率を調整し、オフセットを補正することを特徴とする項目１に記載の自動利得制御方式を利用した受信端の受信率改善装置。
【００１２】
項目３．  前記増幅部は、
前記復調部から出力されるＩ位相信号を該当増幅率制御信号によって自動利得制御方式を利用して増幅する第１のＩ増幅器と、
該第１のＩ増幅器から出力される信号に混合されている雑音を制御する第１のＩ濾波器と、
該第１のＩ濾波器から出力される信号を該当増幅率制御信号によって自動利得制御方式を利用して増幅する第２のＩ増幅器と、
該第２のＩ増幅器から出力される信号の雑音を除去する第２のＩ濾波器と、
該第２のＩ濾波器から出力される信号を該当増幅率制御信号によって自動利得制御方式を利用して増幅し、オフセットが補正されたＩ位相信号を出力するＩオフセット増幅器と、
前記Ｑ位相信号を該当増幅率制御信号によって自動利得制御方式を利用して増幅する第１のＱ増幅器と、
該第１のＱ増幅器から出力される信号に混合されている雑音を制御する第１のＱ濾波器と、
該第１のＱ濾波器から出力される信号を該当増幅率制御信号によって自動利得制御方式を利用して増幅する第２のＱ増幅器と、
該第２のＱ増幅器から出力される信号の雑音を除去する第２のＱ濾波器と、
該第２のＱ濾波器から出力される信号を該当増幅率制御信号によって自動利得制御方式を利用して増幅し、オフセットが補正されたＱ位相信号を出力するＱオフセット増幅器と、を含んで構成されることを特徴とする項目１に記載の自動利得制御方式を利用した受信端の受信率改善装置。
【００１３】
項目４．  前記オフセット調整部は、
前記増幅部から出力されるＩ位相信号をデジタル信号に変換する第１のアナログ／デジタル変換器と、
前記増幅部から出力されるＱ位相信号をデジタル信号に変換する第２のアナログ／デジタル変換器と、
前記第１のアナログ／デジタル変換器及び第２のアナログ／デジタル変換器から印加される信号を処理して電力の大きさを検出する電力検出部と、
前記第１のアナログ／デジタル変換器及び第２のアナログ／デジタル変換器から印加される信号を処理し、Ｉ位相及びＱ位相の増幅オフセット値を計算して出力するオフセット計算機と、
前記電力検出部から印加される電力の大きさと外部から入力される目標電力の大きさとの差を計算して出力する比較演算部と、
該比較演算部から印加される値に該当する多数の増幅率制御信号を出力し、これと同時に、前記オフセット計算機から印加される値を演算して増幅オフセットを調整する増幅率制御信号をそれぞれ出力するテーブル部と、を含んで構成されることを特徴とする項目１に記載の自動利得制御方式を利用した受信端の受信率改善装置。
【００１４】
項目５．  前記比較演算部は、
前記電力検出部から印加される電力の大きさと外部から入力される目標電力の大きさとの差を計算して正数または負数として出力することを特徴とする項目４に記載の自動利得制御方式を利用した受信端の受信率改善装置。
【００１５】
項目６．  前記テーブル部は、
前記増幅部の第１のＩ増幅器及び第１のＱ増幅器に同一の増幅率制御信号を出力することを特徴とする項目４に記載の自動利得制御方式を利用した受信端の受信率改善装置。
【００１６】
項目７．  前記テーブル部は、
前記第２のＩ増幅器及び第２のＱ増幅器に同一の増幅率制御信号を出力することを特徴とする項目４に記載の自動利得制御方式を利用した受信端の受信率改善装置。
【００１７】
項目８．  前記テーブル部は、
前記Ｉオフセット増幅器及びＱオフセット増幅器を制御してオフセットを補正する増幅率制御信号をそれぞれ出力することを特徴とする項目４に記載の自動利得制御方式を利用した受信端の受信率改善装置。
【００１８】
項目９．  前記テーブル部は、
前記Ｉオフセット増幅器を制御する増幅率制御値に前記オフセット計算機から印加されるオフセット値を加えて前記Ｑオフセット増幅器に出力することを特徴とする項目８に記載の自動利得制御方式を利用した受信端の受信率改善装置。
【００１９】
項目１０．  ネットワークから信号を無線受信する受信端において、
ネットワークから無線受信される高周波信号から移動通信信号を検出し復調して、Ｉ位相信号とＱ位相信号に分離する段階と、
該分離されたＩ位相信号及びＱ位相信号を増幅して雑音を除去する段階と、
該増幅され雑音が除去されたＩ位相信号及びＱ位相信号の電力の大きさ及びオフセット値を検出する段階と、
該検出された電力の大きさを目標電力の大きさと比較計算する段階と、
該比較計算結果及び前記検出されたオフセット値によって修正される利得値をセットする段階と、
前記セットされた利得値に前記Ｉ位相信号及びＱ位相信号を増幅する増幅率を調整し、オフセットを補正する段階と、
から構成されることを特徴とする自動利得制御方式を利用した受信端の受信率改善方法。
【００２０】
項目１１．  前記目標電力の大きさは、
外部から入力されることを特徴とする項目１０に記載の自動利得制御方式を利用した受信端の受信率改善方法。
【００２１】
項目１２．  前記比較計算段階は、
前記検出されたＩ位相信号及びＱ位相信号の電力の大きさと前記目標電力の大きさとの差を計算して出力することを特徴とする項目１０に記載の自動利得制御方式を利用した受信端の受信率改善方法。
【００２２】
項目１３．  前記セット段階は、前記比較計算結果及び計算されたオフセット値に合う該当増幅率制御信号を探すことを特徴とする項目１０に記載の自動利得制御方式を利用した受信端の受信率改善方法。
【発明の効果】
【００２３】
本発明は、受信端における第２濾波後、利得制御において、ＡＧＣ機能と共に提案されたオフセット増幅部を使用してＩ及びＱ位相信号のミスマッチ(mismatch)を補正(correction)して利得を制御することによって、より簡単な回路を実現し得るという効果がある。
【００２４】
また、本発明は、回路が簡単になることによって、端末機の値下げ及び小型化が可能になり、よって、使用者に低価格の小型端末を供給し得るという効果がある。
【００２５】
また、本発明は、回路が簡単になることによって、信号処理時間の短縮及び負荷の減少が可能になり、よって、高速データ処理が可能になるという効果がある。
【発明を実施するための最良の形態】
【００２６】
以下、図面を参照して本発明の望ましい実施形態を説明する。
【００２７】
図１は、本発明によるＡＧＣを利用した受信端の受信率改善装置の構成を示す図である。
【００２８】
図１に示すように、本発明によるＡＧＣを利用した受信端の受信率改善装置は、ネットワークからアンテナに受信される信号を該当チャンネルの信号として検出及び出力する高周波部１００と、該高周波部１００から出力された信号を同位相(In phase: Ｉ)チャンネルと直交位相(Quadrature phase: Ｑ)チャンネルに分離してそれぞれ出力する復調部２００と、該復調部２００から出力されたＩ位相信号及びＱ位相信号を増幅して利得を増加させる増幅部３００と、該増幅部３００から増幅され出力されるＩ位相信号及びＱ位相信号の電力の大きさを検出してオフセット計算(offset calculation)を遂行し、受信された基底帯域信号の電力の大きさと目標電力の大きさを比較して修正予定の利得(gain)値をセット(setting)し、該セットされた値によって前記増幅部３００のそれぞれのアンプを調整するオフセット調整部４００と、から構成される。
【００２９】
前記高周波部１００は、帯域通過フィルタ(band pass filter: ＢＰＦ)１０１及び低雑音増幅器(low noise amplifier: ＬＮＡ)１０２から構成され、ネットワークから無線受信されてアンテナに入力される高周波信号から移動通信信号を検出して出力する。
【００３０】
前記復調部２００は、復調器(demodulator)２０１及び局部発振器(Local Oscilator: ＬＯ)から構成され、前記高周波部１００から印加される信号を復調してＩチャンネルとＱチャンネルに分離し、分離されたＩ位相信号及びＱ位相信号をそれぞれ出力する。
【００３１】
前記増幅部３００は、前記復調部２００から印加されるＩ位相信号及びＱ位相信号を増幅率制御信号によってそれぞれ増幅して出力し、前記復調部２００から入力されるＩ位相信号を該当増幅率制御信号によってＡＧＣで増幅する第１のＩ増幅器３０１と、該第１のＩ増幅器３０１から出力される信号に混合されている雑音を制御する第１のＩ濾波器３０２と、該第１のＩ濾波器３０２から出力される信号を該当増幅率制御信号によってＡＧＣを利用して増幅する第２のＩ増幅器３０３と、前記第２のＩ増幅器３０３から出力される信号の雑音を除去する第２のＩ濾波器３０４と、該第２のＩ濾波器３０４から出力される信号を該当増幅率制御信号によってＡＧＣに増幅してオフセットが補正されたＩ位相信号を出力するＩオフセット増幅器３０５と、前記復調部２００から入力されるＱ位相信号を該当増幅率制御信号によってＡＧＣを利用して増幅する第１のＱ増幅器３０６と、該第１のＱ増幅器３０６から出力される信号に混合されている雑音を制御する第１のＱ濾波器３０７と、該第１のＱ濾波器３０７から出力される信号を該当増幅率制御信号によってＡＧＣを利用して増幅する第２のＱ増幅器３０８と、該第２のＱ増幅器３０８から出力される信号の雑音を除去する第２のＱ濾波器３０９と、該第２のＱ濾波器３０９から出力される信号を該当増幅率制御信号によってＡＧＣに増幅してオフセットが補正されたＱ位相信号を出力するＱオフセット増幅器３１０と、から構成される。
【００３２】
前記オフセット調整部４００は、前記増幅部３００から出力されるＩ位相信号及びＱ位相信号を処理して電力及びオフセット値を検出し、増幅率制御値テーブルから目標電力の大きさに該当する増幅率制御信号を探して前記増幅部３００に出力し、該増幅部３００から出力されるＩ位相信号をデジタル信号に変換する第１のアナログ／デジタル変換器(analog to digital converter: ＡＤＣ)４０１と、前記増幅部３００から出力されるＱ位相信号をデジタル信号に変換する第２のＡＤＣ４０２と、前記第１のＡＤＣ４０１及び第２のＡＤＣ４０２から印加される信号を処理して電力の大きさを検出する電力検出部４０３と、前記第１のＡＤＣ４０１及び第２のＡＤＣ４０２から印加される信号を処理してＩ位相及びＱ位相の増幅オフセット値を計算して出力するオフセット計算機(offset calculator)４０４と、前記電力検出部４０３から印加される電力の大きさと外部から入力される目標電力の大きさとの差を計算して正数または負数として出力する比較演算部４０５と、該比較演算部４０５から印加される値に該当する多数の増幅率制御信号を出力し、これと同時に、前記オフセット計算機４０４から印加される値を演算して増幅オフセットを調整する増幅率制御信号をそれぞれ出力するテーブル部４０６と、から構成される。
【００３３】
前記テーブル部４０６は、前記増幅部３００の第１のＩ増幅器３０１及び第１のＱ増幅器３０６に同一の増幅率制御信号を出力し、第２のＩ増幅器３０３及び第２のＱ増幅器３０８に同一の増幅率制御信号を出力し、Ｉオフセット増幅器３０５及びＱオフセット増幅器３１０を制御してオフセットを補正する増幅率制御信号をそれぞれ出力する。このとき、前記テーブル部４０６は、前記Ｉオフセット増幅器３０５を制御する増幅率制御値に前記オフセット計算機４０４から印加されるオフセット値を加えて前記Ｑオフセット増幅器３１０に出力する。
【００３４】
図２は、本発明による増幅率自動制御のための前記テーブル部４０６のＩ／Ｑ ＡＧＣ利得テーブル(gain table)を示す図で、前記増幅部３００の各増幅器の増幅率を制御する値が図２のように記録貯蔵されている。
【００３５】
図３は、本発明によるＡＧＣを利用した受信端の受信率改善方法の過程を示すフローチャートで、図１を参考にして説明する。
【００３６】
図３を参照すると、本発明によるＡＧＣを利用した受信端の受信率改善方法は、ネットワークから無線受信される高周波信号から移動通信信号を検出し復調してＩ位相信号とＱ位相信号に分離する過程と、該分離されたＩ位相信号及びＱ位相信号を増幅して雑音を除去する過程と、該増幅されて雑音が除去されたＩ位相信号及びＱ位相信号を処理して電力の大きさ及びオフセット値を検出する過程と、前記電力の大きさを目標電力の大きさと比較してその差を計算する過程と、前記計算結果及び検出されたオフセット値によって修正予定の利得値をセットする過程と、前記セットされた利得値によって増幅率を調整する過程と、該調整された値にＡＧＣを遂行する過程と、を含んで構成される。
【００３７】
最初、高周波部１００は、ネットワークからアンテナに無線受信される高周波信号から移動通信信号を検出する(Ｓ１０)。前記移動通信信号は、復調部２００に印加されて復調され、Ｉ位相信号とＱ位相信号に分離されて出力される(Ｓ２０)。前記Ｉ位相信号及びＱ位相信号は、増幅部３００に印加されてそれぞれ増幅及び濾波過程を経て利得が増加される(Ｓ３０)。このとき、前述したように、前記Ｉ位相信号及びＱ位相信号は、それぞれ第１のＩ増幅器３０１及び第１のＱ増幅器３０６に印加されて増幅され、さらに第１のＩ濾波器３０２及び第１のＱ濾波器３０７にそれぞれ印加されて雑音が除去される。また、さらに第２のＩ増幅器３０３及び第２のＱ増幅器３０８に印加されて増幅され、第２のＩ濾波器３０４及び第２のＱ濾波器３０９を経て雑音が除去され、最後に、Ｉオフセット増幅器３０５及びＱオフセット増幅器３１０を経て利得が増加される。
【００３８】
以後、前記I及びＱ位相信号は、オフセット調整部４００に印加されてその電力の大きさ及びオフセット値が検出される(Ｓ４０)。そうすると、比較演算部４０５は、前記検出された大きさを目標電力の大きさと比較して差を計算し(Ｓ５０)、テーブル部４０６は前記差によって該当増幅率制御信号を探して前記増幅部３００に出力する(Ｓ６０)。前記増幅率制御信号は、増幅部３００の各増幅器に印加されて増幅率を制御し、Ｉオフセット増幅器及びＱオフセット増幅器を制御してオフセットを補正する(Ｓ７０)。このとき、前述したように、前記Ｉ位相信号及びＱ位相信号は、それぞれ第１のＩ増幅器３０１及び第１のＱ増幅器３０６に印加されて前記増幅率制御信号によって増幅され、さらに第１のＩ濾波器３０２及び第１のＱ濾波器３０７にそれぞれ印加されて雑音が除去される。また、さらに第２のＩ増幅器３０３及び第２のＱ増幅器３０８に印加されて前記増幅率制御信号により増幅され、第２のＩ濾波器３０４及び第２のＱ濾波器３０９を経て雑音が除去され、最後に、Ｉオフセット増幅器３０５及びＱオフセット増幅器３１０を経ながらオフセットが補正されて同一のレベルとして出力される。
【図面の簡単な説明】
【００３９】
【図１】本発明によるＡＧＣを利用した受信端の受信率改善装置の構成を示す図である。
【図２】本発明による増幅率自動制御のためのＩ／Ｑ ＡＧＣ利得テーブルを示す図である。
【図３】本発明によるＡＧＣを利用した受信端の受信率改善方法の実現過程を示すフローチャートである。
【図４】既存のＡＧＣを利用した受信端の構造を示す図である。
【図５】他の既存のＡＧＣを利用した受信端の構造を示す図である。
【符号の説明】
【００４０】
１０、１００：高周波部
２０、２００：復調部
３０、３００：増幅部
４０：電力検出器
５０：ＡＧＣ制御部
５１：ＡＧＣテーブル
５２：レベル検出器
３０１：第１のＩ増幅器
３０２：第１のＩ濾波器
３０３：第２のＩ増幅器
３０４：第２のＩ濾波器
３０５：Ｉオフセット増幅器
３０６：第１のＱ増幅器
３０７：第１のＱ濾波器
３０８：第２のＱ増幅器
３０９：第２のＱ濾波器
３１０：Ｑオフセット増幅器
４００：オフセット調整部
４０１：第１のＡＤＣ
４０２：第２のＡＤＣ
４０３：電力検出部
４０４：オフセット計算機
４０５：比較演算部
４０６：テーブル部
【図１】
2005160082.tif 000003
【図２】
2005160082.tif 000004
【図３】
2005160082.tif 000005
【図４】
2005160082.tif 000006
【図５】
2005160082.tif 000007